(57)【要約】【課題】多数のテレビ放送受信機を有する環境であっても、効率的に新規のコードを登録することができる情報サービス提供システムを提供する。【解決手段】  セットトップボックス１００および館内機器管理サーバ５００が館内ネットワーク２０に接続された放送・映像サービス提供システム１であって、セットトップボックス１００は、テレビ赤外線リモコン３０１から受信した任意のテレビ用赤外線データを館内機器管理サーバ５００へ送信に対した後このデータが登録されていないと判断された場合、館内機器管理サーバ５００へテレビ用赤外線データを新規データとして送信し、館内機器管理サーバ５００は、テレビ放送受信機２００に関する機器データ内に受信した任意のテレビ用赤外線データが含まれているか否かを判断した結果をセットトップボックス１００へ送信し、セットトップボックス１００から新規データを受信して登録する。【選択図】図１
2008061191.tif 000002
【特許請求の範囲】
【請求項１】
複数のテレビ放送受信機との間で通信を行う情報処理装置および前記複数のテレビ放送受信機の管理を行う機器管理サーバがネットワークに接続された情報サービス提供システムであって、
前記情報処理装置は、
前記複数のテレビ放送受信機のうちの１つを制御する第１の赤外線リモコンからテレビ用赤外線データを受信する赤外線受信部と、
前記テレビ用赤外線データのうち任意のテレビ用赤外線データを前記機機管理サーバへ送信する登録確認送信部と、
前記機器管理サーバによって前記任意のテレビ用赤外線データが登録されていないと判断された場合、前記機器管理サーバへ前記テレビ用赤外線データを新規データとして送信する新規データ送信部と
を有し、
前記機器管理サーバは、
前記テレビ放送受信機に関する機器データを保持する機器データ保持部と、
前記情報処理装置から送信される前記任意のテレビ用赤外線データを受信する登録確認受信部と、
前記機器データ保持部が保持する機器データに前記任意のテレビ用赤外線データが含まれているか否かを判断する登録有無判断部と、
前記登録有無判断部による判断結果を前記情報処理装置へ送信する判断結果送信部と、
前記情報処理装置から前記新規データを受信して登録する新規データ受信登録部と
を有する情報サービス提供システム。
【請求項２】
請求項１に記載の情報サービス提供システムであって、
前記情報処理装置は、
前記機器管理サーバへの問い合わせの結果、前記任意のテレビ用赤外線データが登録されていた場合、前記テレビ用赤外線データを前記機器管理サーバから取得する登録データ取得部を有する情報サービス提供システム。
【請求項３】
請求項１または２に記載の情報サービス提供システムであって、
前記情報処理装置は、
前記テレビ用赤外線データおよび前記テレビ放送受信機を識別する識別データを格納するデータ格納部を有する情報サービス提供システム。
【請求項４】
請求項３に記載の情報サービス提供システムであって、
前記情報処理装置の赤外線受信部は、
前記情報処理装置の制御を行う第２の赤外線リモコンから装置用赤外線データを受信し、
前記情報処理装置は、
前記データ格納部に格納されたテレビ用赤外線データおよび前記識別データに基づいて、前記装置用赤外線データを前記テレビ用赤外線データに変換する赤外線データ変換部と、
前記赤外線データ変換部によって変換された変換赤外線データを前記テレビ放送受信機へ送信する赤外線送信部と
を有する情報サービス提供システム。
【請求項５】
請求項４に記載の情報サービス提供システムであって、
前記テレビ放送受信機がデータ放送に対応しているか否かを示す視聴情報を保持する視聴情報保持部と、
前記データ放送に基づく表示画面を生成し前記テレビ放送受信機へ出力する表示画面生成出力部と
を有し、
前記視聴情報に基づいて、前記テレビ放送受信機が前記データ放送に対応している場合には、前記テレビ用赤外線データによって前記テレビ放送受信機を制御し、前記テレビ放送受信機がデータ放送に対応していない場合には、前記表示画面生成出力部による出力を行う情報サービス提供システム。
【請求項６】
請求項１に記載の情報サービス提供システムであって、
前記機器管理サーバの前記機器データ保持部は、
少なくとも前記テレビ放送受信機の設置場所、メーカーに関するメーカー情報、型番に関する型番情報、および対応する赤外線データを保持する情報サービス提供システム。
【請求項７】
請求項１に記載の情報サービス提供システムであって、
前記ネットワークに接続され、データ放送の配信を行うデータ放送配信装置を有し、
前記データ放送配信装置は、
前記データ放送のデータを保持するデータ放送データ保持部と、
前記データ放送データを前記データ放送が配信される表示装置の表示形式に対応させる変換情報を保持する変換情報保持部と、
前記変換情報に基づいて、データ放送データを変換配信データに変換するデータ変換部と、
前記変換配信データを保持する変換配信データ保持部と
を有する情報サービス提供システム。
【請求項８】
請求項７に記載の情報サービス提供システムであって、
前記データ放送配信装置は、
アナログテレビ放送とデジタルテレビ放送との関連付けを行う放送関連情報を保持する放送関連情報保持部を有する情報サービス提供システム。
【請求項９】
請求項７に記載の情報サービス提供システムであって、
前記データ放送配信装置は、
ホテル専用の放送に関するホテル情報を保持するホテル情報保持部を有するデータ放送情報サービス提供システム。
【請求項１０】
ネットワークに接続された複数のテレビ放送受信機との間で通信を行う情報処理装置および前記複数のテレビ放送受信機の管理を行う機器管理サーバが利用する情報サービス提供方法であって、
前記機器管理サーバが前記テレビ放送受信機に関する機器データを保持する機器データ保持ステップと、
前記情報処理装置が前記複数のテレビ放送受信機のうちの１つを制御する第１の赤外線リモコンからテレビ用赤外線データを受信するステップと、
前記情報処理装置が前記テレビ用赤外線データのうち任意のテレビ用赤外線データを前記機機管理サーバへ送信するステップと、
前記機器管理サーバが前記情報処理装置から送信される前記任意のテレビ用赤外線データを受信するステップと、
前記機器データ保持ステップにおいて保持された機器データに前記任意のテレビ用赤外線データが含まれているか否かを前記機器管理サーバが判断する登録有無判断ステップと、
前記機器管理サーバが前記登録有無判断ステップにおける判断結果を前記情報処理装置へ送信するステップと、
前記判断結果により前記任意のテレビ用赤外線データが登録されていないと判断された場合、前記情報処理装置が前記機器管理サーバへ前記テレビ用赤外線データを新規データとして送信するステップと、
前記機器管理サーバが前記情報処理装置から前記新規データを受信して登録するステップと
を有する情報サービス提供方法。
【請求項１１】
請求項１０に記載の情報サービス提供方法であって、
前記ネットワークに接続され、データ放送の配信を行うデータ放送配信装置が前記データ放送のデータを保持するステップと、
前記データ放送データを前記データ放送が配信される表示装置の表示形式に対応させる変換情報を前記データ放送配信装置が保持するステップと、
前記変換情報に基づいて、前記データ放送配信装置が前記データ放送データを変換配信データに変換するステップと、
前記データ放送配信装置が前記変換配信データを保持するステップと
を有する情報サービス提供方法。
【発明の詳細な説明】
【技術分野】
【０００１】
本発明は、ネットワークを経由して映像および音声を伝送するシステムに関する。詳細には、ホテルなどのように複数個所にテレビ放送受信機を設置するような環境で、新しいテレビ放送受信機を設置する場合の作業効率を向上させることを可能とする一方で、古いテレビ放送受信機でもデータ放送のサービスを享受できるようにするシステムに関する。
【背景技術】
【０００２】
ホテルでは、宿泊客向けのサービスとして、客室にテレビ受信機を設置してテレビ放送が視聴できるようになっている。近年はテレビ放送の視聴に加え、ネットワークを利用した映画などの映像コンテンツを宿泊客の要求に応じて配信するビデオ・オン・デマンドのサービスも増加しており、テレビ放送の受信機とは別に専用の端末であるセットトップボックスが設置されているホテルも増えている。
【０００３】
テレビ受信機やセットトップボックスの操作は赤外線を使った制御装置である赤外線リモートコントローラー(以下赤外線リモコン)が専ら利用される。通常この赤外線リモコンはテレビ受信機とセットトップボックスのそれぞれ個別のものである。
【０００４】
ところで、ホテルの客室では部屋の様式やサイズによって異なるモデルのテレビ受信機が設置されることが多い。また、ホテルの設備の更新に伴っては客室のテレビ受信機も新しいものに入れ替えられ、同じホテルでも複数のテレビ受信機が使用されることは極めて多い。したがって、ホテルの客室には様々な組み合わせの赤外線リモコンが備え付けられることが多い。
【０００５】
ところが、ホテルの宿泊客からすれば複数の赤外線リモコンを使ってそれぞれの機器を操作するのはわずらわしく、また操作ミスが発生しやすい。更に、同じホテルに複数モデルのテレビ受信機が存在するとホテル側にとっては管理が非常に面倒になる。
【０００６】
そこで、操作の煩雑さを軽減するために、テレビ受信機とセットトップボックスの操作を一つの赤外線リモコンでできるようにしたものが知られている（例えば、特許文献１参照）。また、ホテルなどを想定したものでは無いが、異なる対象機器に一つの赤外線リモコンで対応できるように、サーバーに複数のリモコンに関するデータを登録しておき、必要に応じて対応するデータをダウンロードするようにした技術も開示されている（例えば、特許文献２参照）。
【特許文献１】特開２００５−２６９３７２号公報
【特許文献２】特開平１０−２１５４９３号公報
【発明の開示】
【発明が解決しようとする課題】
【０００７】
しかしながら、特許文献１のようなリモコン装置は、あらかじめ記憶されたリモコンコードに関してのみ複数のメーカーの電気機器を操作することができるものであり、リモコンコードが登録されていない新規のものである場合には、リモコン装置による操作を行うことができないという事情があった。
【０００８】
また、特許文献１のようなリモコン装置を用いるとすると、新たにテレビ受信機を入れたり、あるいは現在のテレビ受信機の入れ替えを行ったりする場合、テレビ受信機を制御する赤外線コマンドを入れ直しする必要がある。ホテルのようにテレビ受信機の数が非常に多い場合には、コマンドを新たに登録する作業も煩雑になり、作業の誤りによりテレビ受信機の操作ができなくなる可能性がある。リモコンコードが従来無かった新しいものであった場合、そのコードを分析して登録する作業を新たに実施しなければならないが、この登録作業はテレビ受信機に対して１台ずつ行わなければならないため、ホテルのように一度に多数のテレビ受信機に対して設定するような環境では効率が非常に悪くなるという事情があった。
【０００９】
さらに、テレビ受信機自身は製品寿命が長いので、テレビ受信機を利用したサービスが多様化している中、旧式のテレビ受信機ではサービスが受けられないような自体も生じている。たとえば、従来のアナログ放送からデジタルサービスに移行していく中で、データ放送のサービスが提供されている。また、ホテルではホテルの館内の施設を説明するのにインターネットと同等の技術を使ったＨＴＭＬ（Ｈｙｐｅｒ  Ｔｅｘｔ  Ｍａｒｋｕｐ  Ｌａｎｇｕａｇｅ）ベースのサービスが提供されているところもある。旧式のアナログテレビではこのようなサービスを享受することが難しいが、ホテル館内のテレビ受信機を最新のサービスに対応可能なものに入れ替えるのは大きな費用が発生する。したがって、旧式のテレビでも最新のサービスに対応が可能な仕組みが望まれていた。
【００１０】
本発明は上記事情を鑑みてなされたものであって、多数のテレビ放送受信機を有する環境であっても、効率的に新規のコードを登録することができる情報サービス提供システム、および情報サービス提供方法を提供することを目的とする。また、旧式のテレビ放送受信機であっても、最新のサービスに対応可能とする情報サービス提供システムおよび情報サービス提供方法を提供することを目的とする。
【課題を解決するための手段】
【００１１】
上記目的を達成するために、本発明の第１の情報サービス提供システムは、複数のテレビ放送受信機との間で通信を行う情報処理装置および前記複数のテレビ放送受信機の管理を行う機器管理サーバがネットワークに接続された情報サービス提供システムであって、前記情報処理装置は、前記複数のテレビ放送受信機のうちの１つを制御する第１の赤外線リモコンからテレビ用赤外線データを受信する赤外線受信部と、前記テレビ用赤外線データのうち任意のテレビ用赤外線データを前記機機管理サーバへ送信する登録確認送信部と、前記機器管理サーバによって前記任意のテレビ用赤外線データが登録されていないと判断された場合、前記機器管理サーバへ前記テレビ用赤外線データを新規データとして送信する新規データ送信部とを有し、前記機器管理サーバは、前記テレビ放送受信機に関する機器データを保持する機器データ保持部と、前記情報処理装置から送信される前記任意のテレビ用赤外線データを受信する登録確認受信部と、前記機器データ保持部が保持する機器データに前記任意のテレビ用赤外線データが含まれているか否かを判断する登録有無判断部と、前記登録有無判断部による判断結果を前記情報処理装置へ送信する判断結果送信部と、前記情報処理装置から前記新規データを受信して登録する新規データ受信登録部とを有する構成としている。
【００１２】
この構成により、多数のテレビ放送受信機を有する環境であっても、効率的に新規のコードを登録することができる。また、ホテルのように多数のテレビ受信機を有する環境においてテレビ放送と館内映像サービスを簡便な操作で享受できるとともに、テレビ受信機の設置作業において設置作業者の作業を簡便に実施することができる。
【００１３】
また、本発明の第２の情報サービス提供システムは、前記情報処理装置が、前記機器管理サーバへの問い合わせの結果、前記任意のテレビ用赤外線データが登録されていた場合、前記テレビ用赤外線データを前記機器管理サーバから取得する登録データ取得部を有する構成としている。
【００１４】
この構成により、例えばセットトップボックスのような情報処理装置に対してテレビ赤外線リモコンから送られた赤外線コマンドデータが新規のものでない場合には、機器管理サーバから赤外線コマンドデータ群を取得することにより、情報処理装置用のリモコンによってテレビ操作も併せて行うことが可能となる。
【００１５】
また、本発明の第３の情報サービス提供システムは、前記情報処理装置が、前記テレビ用赤外線データおよび前記テレビ放送受信機を識別する識別データを格納するデータ格納部を有する構成としている。
【００１６】
この構成により、一度赤外線コマンドデータが登録されたテレビ受信装置を制御するテレビ赤外線リモコンが発行する赤外線コマンドデータは情報処理装置内に保存されるため、再度同一の赤外線コマンドデータが発行された場合には、情報処理装置内の処理を簡略化することができる。
【００１７】
また、本発明の第４の情報サービス提供システムは、前記情報処理装置の赤外線受信部が、前記情報処理装置の制御を行う第２の赤外線リモコンから装置用赤外線データを受信し、前記情報処理装置が、前記データ格納部に格納されたテレビ用赤外線データおよび前記識別データに基づいて、前記装置用赤外線データを前記テレビ用赤外線データに変換する赤外線データ変換部と、前記赤外線データ変換部によって変換された変換赤外線データを前記テレビ放送受信機へ送信する赤外線送信部とを有する構成としている。
【００１８】
この構成により、例えばホテルのように多数のテレビ受信機を有する環境においてテレビ放送と館内映像サービスとを簡便な操作で享受できる。
【００１９】
また、本発明の第５の情報サービス提供システムは、前記テレビ放送受信機がデータ放送に対応しているか否かを示す視聴情報を保持する視聴情報保持部と、前記データ放送に基づく表示画面を生成し前記テレビ放送受信機へ出力する表示画面生成出力部とを有し、前記視聴情報に基づいて、前記テレビ放送受信機が前記データ放送に対応している場合には、前記テレビ用赤外線データによって前記テレビ放送受信機を制御し、前記テレビ放送受信機がデータ放送に対応していない場合には、前記表示画面生成出力部による出力を行う構成としている。
【００２０】
この構成により、異なるテレビ受信装置が置かれた環境でも利用者は同等のサービスを受けることができる。
【００２１】
また、本発明の第６の情報サービス提供システムは、前記機器管理サーバの前記機器データ保持部が、少なくとも前記テレビ放送受信機の設置場所、メーカーに関するメーカー情報、型番に関する型番情報、および対応する赤外線データを保持する構成としている。
【００２２】
この構成により、ホテルのように設置条件が異なる場所であっても設置作業者の作業を簡便に実施することができる。
【００２３】
また、本発明の第７の情報サービス提供システムは、前記ネットワークに接続され、データ放送の配信を行うデータ放送配信装置を有し、前記データ放送配信装置は、前記データ放送のデータを保持するデータ放送データ保持部と、前記データ放送データを前記データ放送が配信される表示装置の表示形式に対応させる変換情報を保持する変換情報保持部と、前記変換情報に基づいて、データ放送データを変換配信データに変換するデータ変換部と、前記変換配信データを保持する変換配信データ保持部とを有する構成としている。
【００２４】
この構成により、旧式のテレビ放送受信機であっても、最新のサービスに対応することが可能であり、異なるテレビ受信機を有する客室でも同等のサービスを受けることができる。
【００２５】
また、本発明の第８の情報サービス提供システムは、前記データ放送配信装置が、アナログテレビ放送とデジタルテレビ放送との関連付けを行う放送関連情報を保持する放送関連情報保持部を有する構成としている。
【００２６】
この構成により、データ放送表示時の操作が自動的に行われ操作性を向上することができる。
【００２７】
また、本発明の第９の情報サービス提供システムは、前記データ放送配信装置が、ホテル専用の放送に関するホテル情報を保持するホテル情報保持部を有する構成としている。
【００２８】
この構成により、ホテルの館内放送とそれに関連する映像がデータ放送と同等の操作性で提供できる。
【００２９】
また、本発明の第１の情報サービス提供方法は、ネットワークに接続された複数のテレビ放送受信機との間で通信を行う情報処理装置および前記複数のテレビ放送受信機の管理を行う機器管理サーバが利用する情報サービス提供方法であって、前記機器管理サーバが前記テレビ放送受信機に関する機器データを保持する機器データ保持ステップと、前記情報処理装置が前記複数のテレビ放送受信機のうちの１つを制御する第１の赤外線リモコンからテレビ用赤外線データを受信するステップと、前記情報処理装置が前記テレビ用赤外線データのうち任意のテレビ用赤外線データを前記機機管理サーバへ送信するステップと、前記機器管理サーバが前記情報処理装置から送信される前記任意のテレビ用赤外線データを受信するステップと、前記機器データ保持ステップにおいて保持された機器データに前記任意のテレビ用赤外線データが含まれているか否かを前記機器管理サーバが判断する登録有無判断ステップと、前記機器管理サーバが前記登録有無判断ステップにおける判断結果を前記情報処理装置へ送信するステップと、前記判断結果により前記任意のテレビ用赤外線データが登録されていないと判断された場合、前記情報処理装置が前記機器管理サーバへ前記テレビ用赤外線データを新規データとして送信するステップと、前記機器管理サーバが前記情報処理装置から前記新規データを受信して登録するステップとを有する方法としている。
【００３０】
この方法により、多数のテレビ放送受信機を有する環境であっても、効率的に新規のコードを登録することができる。また、ホテルのように多数のテレビ受信機を有する環境においてテレビ放送と館内映像サービスを簡便な操作で享受できるとともに、テレビ受信機の設置作業において設置作業者の作業を簡便に実施することができる。
【００３１】
また、本発明の第２の情報サービス提供方法は、前記ネットワークに接続され、データ放送の配信を行うデータ放送配信装置が前記データ放送のデータを保持するステップと、前記データ放送データを前記データ放送が配信される表示装置の表示形式に対応させる変換情報を前記データ放送配信装置が保持するステップと、前記変換情報に基づいて、前記データ放送配信装置が前記データ放送データを変換配信データに変換するステップと、前記データ放送配信装置が前記変換配信データを保持するステップとを有する方法としている。
【００３２】
この方法により、旧式のテレビ放送受信機であっても、最新のサービスに対応することが可能であり、異なるテレビ受信機を有する客室でも同等のサービスを受けることができる。
【発明の効果】
【００３３】
本発明は、ホテルなどの宿泊客にテレビ放送と映像サービスとを共通化したサービスが提供できるので操作性の良いサービスが可能になり顧客満足度の向上を図ることができる。また、陳腐化した設備であってもデータ放送などの視聴も可能なので、機器の更新にかかる費用を抑制することができる。さらに、新たにテレビ受信機を設置した場合、最も大変なリモコンの設定作業も簡便にかつ正確に実施することが可能で、設置作業の効率化を図ることが可能となり、設置にかかる費用を抑制することができる。
【発明を実施するための最良の形態】
【００３４】
本発明の実施形態における放送・映像サービス提供システムについて、図面を用いて説明する。
（実施形態）
図１は本発明の実施形態における放送・映像サービス提供システム１の全体構成を示す図である。放送・映像サービス提供システム１は、館内放送信号配線１０、館内ネットワーク２０、アナログ放送受信アンテナ３０、デジタル放送受信アンテナ４０、セットトップボックス１００、テレビ受信機２００、ＳＴＢ（ＳＥＴ  ＴＯＰ  ＢＯＸ）赤外線リモコン３００、テレビ赤外線リモコン３０１、映像コンテンツ配信サーバ４００、館内機器管理サーバ５００、館内放送再生装置６００、アナログ放送受信装置７００、デジタル放送受信装置８００、データ放送処理サーバ、および館内共聴配信装置１０００を有する。
【００３５】
ここで、放送・映像サービス提供システム１は情報サービス提供システムの一例である。また、セットトップボックス１００は情報処理装置の一例である。また、館内機器管理サーバ５００は機器管理サーバの一例である。また、館内ネットワーク２０はネットワークの一例である。また、データ放送処理サーバ９００はデータ放送配信装置の一例である。
【００３６】
本実施形態においては、放送・映像サービス提供システム１として、ホテル向けの映像システムを想定している。館内放送信号配線１０はホテル館内の客室などにテレビ放送の信号を伝送する。館内ネットワーク２０はホテル館内の客室などにデータを伝送する。アナログ放送受信アンテナ３０はアナログ放送受信用のアンテナである。デジタル放送受信アンテナ４０はデジタル放送受信用のアンテナである。
【００３７】
セットトップボックス１００は映像処理端末であり、ホテル館内の映像サービスを提供する。テレビ受信機２００はテレビ放送信号を受け取ってテレビ放送やセットトップボックス１００を介して提供される映像サービスの再生を行う。ＳＴＢ赤外線リモコン３００はセットトップボックス１００を赤外線により制御する。テレビ赤外線リモコン３０１はテレビ受信機２００を赤外線により制御し、かつセットトップボックス１００に赤外線コマンドを伝達する。
【００３８】
映像コンテンツ配信サーバー４００はホテル館内の映像サービスにおいて映画などの映像コンテンツを配信する。館内機器管理サーバ５００はテレビ受信機２００などのホテルの客室に設置された機器を管理する。館内放送再生装置６００はホテルで独自に構成されたプログラム放送を配信する。アナログ放送受信装置７００はアナログのテレビ放送を受信して再送信する。デジタル放送受信装置８００はデジタルのテレビ放送を受信して再送信する。
【００３９】
データ放送処理サーバー９００はデジタル放送受信装置８００から受け取ったデータ放送のデータを受け取ってセットトップボックス１００で表示可能なデータに変換して配信する。館内共聴配信装置１０００は館内放送再生装置６００、アナログ放送受信装置７００、デジタル放送受信装置８００などから出力される放送信号を受け取ってホテル館内の客室に配信する。
【００４０】
図１を用いて説明した構成により、放送・映像サービス提供システム１は、ホテルの客室に宿泊した宿泊者に対して、ＳＴＢ赤外線リモコン３００を使ったセットトップボックス１００の操作により、館内ネットワーク２０経由を経由して伝送される映像コンテンツ配信サーバー４００に保持された映画などの映像サービス、ならびに館内放送再生装置６００、アナログ放送受信装置７００、デジタル放送受信装置８００などから館内共聴配信装置１０００および館内放送信号配線１０を経由して伝送される放送プログラムを、テレビ受信機２００を使って視聴が可能となる。
【００４１】
次に、図２を用いてセットトップボックス１００の内部構成を説明する。図２は本発明の実施形態におけるセットトップボックス１００の内部構成を示した図である。
【００４２】
セットトップボックス１００は、ＣＰＵ１０１、プログラムメモリー１０２、作業メモリー１０３、音声映像処理部１０４、ネットワーク制御部１０５、ネットワーク通信部１０６、赤外線受講部１０７、赤外線受信処理部１０８、赤外線送信処理部１０９、赤外線発光部１１０、コマンド情報保持部１１１、テレビモデル情報保持部１１２、および視聴情報保持部１１３を有する。
【００４３】
ここで、赤外線受光部１０７は赤外線受信部の一例である。また、ネットワーク通信部１０６は登録確認送信部、新規データ送信部、登録データ取得部の一例である。また、コマンド情報保持部１１１およびテレビモデル情報保持部１１２はデータ格納部の一例である。また、赤外線送信処理部１０９は赤外線データ変換部の一例である。また、赤外線発光部１１０は赤外線送信部の一例である。また、音声映像処理部１０４は表示画面生成出力部の一例である。
【００４４】
ＣＰＵ１０１はセットトップボックス１００全体の制御を行う。プログラムメモリー１０２はＣＰＵ１０１が処理するプログラムを格納する。作業メモリー１０３はＣＰＵ１０１がプログラムを処理する際に使用する。
【００４５】
音声映像処理部１０４はＣＰＵ１０１と通信して映像サービス用の音声映像信号を生成しテレビ受信機２００に出力する。ネットワーク制御部１０５はＣＰＵ１０１と通信を行いながらネットワークデータの制御を行う。ネットワーク通信部１０６は館内ネットワーク２０を介して通信を行う。
【００４６】
赤外線受光部１０７はＳＴＢ赤外線リモコン３００から制御用のコマンドを赤外線で受信する。赤外線受信制御部１０８は赤外線受光部１０７から受信した赤外線信号を認識してデータ変換してＣＰＵ１０１に伝送する。赤外線送信制御部１０９はＣＰＵ１０１と通信を行いながら赤外線出力制御を行う。赤外線発光部１１０は赤外線送信制御部１０９からのデータを赤外線信号に変換してテレビ受信機に出力する。
【００４７】
コマンド情報保持部１１１はテレビ受信機２００を制御するための赤外線コマンド情報を保持する。テレビモデル情報保持部１１２はテレビ受信機２００の機器情報を保持する。視聴情報保持部１１３は宿泊客が視聴しているチャンネルなどの情報を保持する。
【００４８】
図２を用いて説明した構成により、セットトップボックス１００は、ＣＰＵ１０１が作業メモリー１０３を使用しながらプログラムメモリー１０２に格納された制御プログラムを実行することにより、宿泊客によるＳＴＢ赤外線リモコン３００の操作によって送信された赤外線コマンドやテレビ赤外線リモコン３０１の赤外線コマンドを赤外線受光部１０７で受信する。
【００４９】
そしてセットトップボックス１００は、赤外線受信制御部１０８でコマンドデータとして取り込んでＣＰＵ１０１に伝達し、そのコマンドデータの内容によってネットワーク制御部１０５およびネットワーク通信部１０６を介して、映像コンテンツ配信サーバー４００、館内機器管理サーバ５００、データ放送処理サーバー９００、との間でデータ伝送を行う。
【００５０】
そしてセットトップボックス１００は、テレビモデル情報保持部１１２の情報に基づいて取得したコマンド情報保持部１１１に保持された赤外線コマンド情報を赤外線送信処理部１０９および赤外線発光部１１０を介してテレビ受信機２００に送信することでテレビ受信機２００を間接的に操作し、かつ音声映像処理部１０４から音声映像信号をテレビ受信機２００に出力することでテレビ受信機２００によって映像サービスを視聴することができる。
【００５１】
また、セットトップボックス１００は、プログラムメモリー１０２中に既知の画面記述形式（ここではＨＴＭＬ規格またはＸＭＬ規格が望ましい。以降はＨＴＭＬ規格を前提にして説明する。）による表示画面を生成する処理を含んでおり、データ放送処理サーバー９００から画面記述形式データを受信して表示画面を生成し、生成した表示画面を音声映像処理部１０４から出力してテレビ受信機２００に表示させることができる。
【００５２】
なお、本発明の実施形態では画面記述形式データから表示画面を生成する処理は既知のものを利用するので説明は割愛する。さらに、セットトップボックス１００は、宿泊客が視聴しているチャンネルなどの情報を視聴情報保持部１１３に保持し、データ放送処理サーバー９００とのデータ伝送に利用する。
【００５３】
次に図３および図４を用いて、本発明の実施形態であるセットトップボックス１００が持つ内部データ構造ならびにセットトップボックス１００からテレビ受信２００に送信する赤外線コマンドの生成の手順について説明する。図３は本発明の実施形態におけるセットトップボックス１００の内部データの構成図である。図４は本発明の実施形態におけるセットトップボックス１００が赤外線コマンドを生成する手順を示す模式図である。
【００５４】
図３において、符号１１１ａは、コマンド情報保持部１１１に保持され、セットトップボックス１００が制御するテレビ受信機２００の赤外線リモコンコマンドのフォーマット形式を記述したフォーマット情報である。また、符号１１１ｂは、コマンド情報保持部１１１に保持されセットトップボックス１００が制御するテレビ受信機２００の赤外線リモコンコマンドのデータを記述したコマンド情報である。また、符号１１２ａは、テレビモデル情報保持部１１２に保持され、セットトップボックス１００が制御するテレビ受信機２００に関する情報を示すテレビモデル情報である。また、符号１１３ａは、視聴情報保持部１１３に保持される視聴情報である。
【００５５】
図４において、符号１０９aは、ＣＰＵ１０１によって生成された赤外線コマンドデータである。また、符号１１０ａは、赤外線発光部１１０から出力する赤外線を生成するための電気信号である。この電気信号１１０ａはＣＰＵ１０１によって生成された赤外線コマンドデータ１０９ａを赤外線送信処理部１０９で変換したもので、赤外線発光部１１０に渡されて赤外線として出力される。
【００５６】
赤外線コマンドは、コマンドのはじめにリーダー部１１０１、おわりにトレーラー部１１０３があり、その間にデータ部１１０２が配置される。リーダー部１１０１、トレーラー部１１０３、データ部１１０２の構成は方式によって様々である。本実施形態のセットトップボックス１００においては、様々の方式に対応できるように各部の構成を自由に変更できる。そのために、前述したフォーマット情報１１１ａ、コマンド１１１ｂ、テレビモデル情報１１２ａを有する。セットトップボックス１００は、図４で示すようにフォーマット情報１１１ａからリーダー部１１０１とトレーラー部１１０３を生成し、テレビモデル情報１１２ａからデータ部のうちのメーカーコードとモデルコードを生成し、コマンド情報１１１ｂから、テレビ受信機２００の個々の制御に必要な任意のコマンドコードを取り出し、それらを組み合わせることによって赤外線コマンドコード１０９ａを生成する。
【００５７】
次に図５および図６を用いてＳＴＢ赤外線リモコン３００およびテレビ赤外線リモコン３０１について説明する。図５は本発明の実施形態におけるＳＴＢ赤外線リモコン３００の外観図である。図６は本発明の実施形態におけるテレビ受信機２００およびテレビ赤外線リモコン３０１の外観図である。
【００５８】
本発明の実施形態における赤外線リモコンとしては、セットトップボックス１００に対してコマンドを送るＳＴＢ赤外線リモコン３００と、テレビ受信機２００にコマンドを送るテレビ赤外線リモコン３０１がある。
【００５９】
図５はＳＴＢ赤外線リモコン３００の外観を示し、図６の（ａ）はテレビ赤外線リモコン３０１の外観を示す。図５におけるＳＴＢ赤外線リモコン３００は、テレビ受信機２００を制御するキー群であるテレビ受信機操作部３００ａ、ホテル館内の映像サービスとテレビ受信機２００の制御との両方に用いられるキー群である共用操作部３００ｂ、およびホテル館内の映像サービス専用のキー群である館内映像サービス用操作部３００ｃを有する。
【００６０】
テレビ赤外線リモコン３０１は本来図６の（ｂ）で示すようにテレビ受信機２００を操作するためのものだが、本実施形態では、テレビ受信機２００を設置する際のリモコンコードの認識、あるいは登録のみに使用し、宿泊客はＳＴＢ赤外線リモコン３００しか使用しない。
【００６１】
次に、図７を用いて館内機器管理サーバー５００について説明する。図７は本発明の実施形態における館内機器管理サーバー５００の構成図である。
【００６２】
図７（ａ）は本発明の実施形態における館内機器管理サーバー５００の内部構成である。館内機器管理サーバー５００は、ＣＰＵ５０１、プログラムメモリー５０２、作業メモリー５０３、ネットワーク制御部５０４、ネットワーク通信部５０５、および情報記憶部５０６を有する。
【００６３】
ここで、情報記憶部５０６は機器データ保持部の一例である。また、ネットワーク通信部５０５は登録確認受信部の一例である。また、ＣＰＵ５０１は登録有無判断部の一例である。また、ネットワーク通信部５０５および情報記憶部５０６は新規データ受信登録部の一例である。
【００６４】
ＣＰＵ５０１はプログラムによって館内機器管理サーバー５００の動作を制御する。プログラムメモリー５０２はＣＰＵ５０１が制御するプログラムを格納する。作業メモリー５０３はプログラムの実行に必要な変数やデータを格納する。ネットワーク制御部５０４はＣＰＵ５０１と通信を行いながらネットワークデータの制御を行う。ネットワーク通信部５０５は館内ネットワーク２０を介して通信を行う。情報記憶部５０６は客室に設置されたテレビ受信機２００に関する情報やリモコンコード情報（後述）などを保持する。
【００６５】
図７（ｂ）は本発明の実施形態における情報記憶部５０６を更に詳細に示したものである。情報記憶部５０６は、ホテルの客室に設置されたテレビ受信機２００を管理する情報を保持する客室機器管理情報保持部５０７、放送・映像サービス提供システム１が管理する全てのテレビ受信機２００のリモコンコードに関する情報を保持するリモコンコード情報保持部５０８を有する。
【００６６】
次に図８を用いて客室機器管理情報保持部５０７の保持する客室機器管理情報およびリモコンコード情報保持部５０８の保持するリモコンコード情報の詳細について説明する。図８は本発明の実施形態における館内機器管理サーバー５００の内部データの構成図である。
【００６７】
図８において、符号５０７ａは客室機器管理情報保持部５０７が保持する客室機器管理情報の詳細であり、少なくとも客室番号、機器番号、メーカー名、品番、リモコンコードのデータタイプ、データ放送に対応しているか否かの情報を持つ。
【００６８】
また、符号５０８ａはテレビメーカー情報、符号５０８ｂはテレビモデル情報、符号５０８ｃはリモコンフォーマット情報、符号５０８ｄはリモコンコマンド情報であり、これらの情報がリモコンコード情報を構成し、リモコンコード情報保持部５０８によって保持されている。
【００６９】
ここでテレビメーカー情報５０８ａは、少なくともメーカー名とそのメーカーに対応するテレビモデル情報５０８ｂへのポインターを有する。テレビモデル情報５０８ｂは、少なくともモデル番号データ、メーカーコードデータ、モデルコードデータ、ならびにリモコンフォーマット情報５０８ｃへのポインターとリモコンコマンド情報５０８ｄへのポインターとを有する。リモコンフォーマット情報５０８ｃは、少なくとも各種赤外線のフォーマット形式と対応するリーダーパターンならびトレーラーパターンを有する。リモコンコマンド情報５０８ｄは、ＳＴＢ赤外線リモコン３００の全てのキーに対応させるテレビ受信機２００側のコードパターンを保持したテーブルを、存在する本実施形態の例のシステムが管理するテレビ受信機２００の全ての形式だけ有する。
【００７０】
図７および図８を用いて説明した構成により、館内機器管理サーバー５００は、セットトップボックス１００からの要求により、任意のテレビ受信機２００に関する赤外線コマンドと関連する機器情報のデータを応答として返したり、あるいはセットトップボックス１００側から新たなテレビ受信機２００の外線コマンドと関連する機器情報のデータを受け取って登録することができる。
【００７１】
なお、客室機器管理情報およびリモコンコード情報は、セットトップボックス１００側からのデータを受信することによって自動的に更新し、あるいはシステム管理端末（図示せず）による人為的な操作によって更新することができる。
【００７２】
次に、図９を用いてデータ放送処理サーバー９００の構成について説明する。図９は本発明の実施形態におけるデータ放送処理サーバー９００の構成図である。
【００７３】
データ放送処理サーバー９００は、ＣＰＵ９０１、プログラムメモリー９０２、作業メモリー９０３、データ通信制御部９０４、デジタル放送データ通信部９０５、ネットワーク制御部９０６、ネットワーク通信部９０７、および情報記憶部９０８を有する。
【００７４】
図９に示すデータ放送処理サーバー９００において、ＣＰＵ９０１はプログラムによってデータ放送処理サーバー９００の動作を制御する。プログラムメモリー９０２はＣＰＵ９０１が制御するプログラムを格納する。作業メモリー９０３はプログラムの実行に必要な変数やデータを格納する。
【００７５】
データ通信制御部９０４はＣＰＵ９０１と通信を行いながらデジタル放送のデータ通信の制御を行う。デジタル放送データ通信部９０５はデジタル放送受信装置８００との間でデータの交換を行う。ネットワーク制御部９０６はＣＰＵ９０１と通信を行いながらネットワークデータの制御を行う。ネットワーク通信部９０７は館内ネットワーク２０を介して通信を行う。情報記憶部９０８はデータ放送の変換に必要な各種情報を保持する。
【００７６】
次に図１０を用いて、本発明の実施形態のデータ放送処理サーバー９００の情報記憶部９０８の詳細構成について説明する。図１０は本発明の実施形態におけるデータ放送処理サーバー９００の内部データの構成図である。
【００７７】
図１０において、符号９０９は、元のデータ放送のデータの記述に使用されるタグとそれに対応するＨＴＭＬのタグの対をリストにしたタグ変換テーブルである。また符号９１０は、元のデータ放送のデータの色やスタイルの記述に使用されるフォーマット形式とそれに対応するＨＴＭＬのフォーマット形式の対をリストにした色・スタイル変換テーブルである。また符号９１１は、データ放送のデータをＨＴＭＬに変換したものを格納するＨＴＭＬデータ保持領域である。また符号９１２は、デジタル放送とアナログ放送とのチャンネル関係、データ放送のデータ、および館内専用放送に対応する館内データへのポインターで構成される参照テーブルである。また符号９１３は、受信したデータ放送のデータを保管するデータ放送データ保持領域である。
【００７８】
ここで、データ放送データ保持領域９１３はデータ放送データ保持部の一例である。また、タグ変換テーブル９０９および色・スタイル変換テーブル９１０は変換情報保持部の一例である。また、ＣＰＵ９０１はデータ変換部の一例である。また、ＨＴＭＬデータ保持領域９１１は変換配信データ保持部の一例である。また、参照テーブル９１２は放送関連情報保持部およびホテル情報保持部の一例である。
【００７９】
次に図１１を用いてデータ放送のデータをＨＴＭＬデータに変換する構成を説明する。図１１は本発明の実施形態におけるデータ放送処理サーバー９００のデータ変換の関係を示した図である。
【００８０】
図１１において、符号９１４はデータ放送の更新状況を確認するデータ更新比較処理、符号９１５はデータ放送をＨＴＭＬデータに変換するＨＴＭＬ変換処理である。データ更新比較処理９１４では、ＣＰＵ９０１が、データ放送データ保持領域９１３に保持されたデータとデジタル放送受信装置８００から伝送された新たなデータ放送データ９１４ａとを比較し、データ放送が更新されていればデータ放送データ保持領域９１３のデータを更新するとともに、後段のＨＴＭＬ変換処理９１５の処理が行われる。ＨＴＭＬ変換処理９１５では、ＣＰＵ９０１が、タグ変換テーブル９０９および色・スタイル変換テーブル９１０の情報を参照して、ＨＴＭＬデータに変換し、結果をＨＴＭＬデータ保持領域９１１に保存する。
【００８１】
図１２は参照テーブル９１２に保持されるデータ構造を示す。図１２は本発明の実施形態におけるデータ放送処理サーバの参照テーブルの構成を示した模式図である。
【００８２】
参照テーブル９１２は、少なくともホテル館内で提供されるテレビ放送の局名あるいは番組名、局名あるいは番組名に対応するアナログ放送チャンネル番号、局名あるいは番組名に対応するデジタル放送チャンネル番号、およびＨＴＭＬデータ９１１ａへのポインターを有する。
【００８３】
図９乃至図１２で説明した構成によって、データ放送処理サーバー９００は、デジタル放送受信装置８００から受け取ってＨＴＭＬ形式に変換したデータ放送データや館内放送説明用のＨＴＭＬデータを蓄積し、セットトップボックス１００からの要求が発生した場合に、参照テーブル９１２を参照してデータ放送データあるいは館内情報ＨＴＭＬデータをセットトップボックス１００に送信することができる。なお、本発明の実施形態では館内放送説明用のＨＴＭＬデータはシステム管理端末（図示せず）による人為的な操作によって任意に更新することができる。
【００８４】
次に図１３および図１４を用いてセットトップボックス１００とテレビ受信機３００の制御について説明する。図１３は本発明の実施形態におけるセットトップボックス１００、テレビ受信機２００、ＳＴＢ赤外線リモコン３００、テレビ赤外線リモコン３０１の操作経路を示した模式図である。図１４は本発明の実施形態におけるセットトップボックス１００によってテレビ赤外線リモコン３０１のコードを取得、登録する動作を説明するための模式図である。
【００８５】
図１３に示すように、テレビ受信機２００は、少なくともテレビ赤外線リモコン３０１からの赤外線制御コマンドを受ける赤外線受光部２０１と、テレビ放送の表示やセットトップボックス１００などの外部機器からの入力映像を表示する映像表示部２０２とを有する。テレビ受信機２００は、テレビ赤外線リモコン３０１からの赤外線コマンドを赤外線受光部２０１で受けて、テレビ受信機２００そのものの電源オン・オフや、テレビ放送チャンネルの選択、映像音声入力端子の切換、音量の増減などを行うことができる。
【００８６】
ただし、本発明の実施形態では、宿泊客の混乱を回避するために、客室に設置するのはＳＴＢ赤外線リモコン３００のみにして、ＳＴＢ赤外線リモコン３００によってセットトップボックス１００およびテレビ受信機２００の操作を行う。
【００８７】
具体的には、図５の説明で述べたように、ＳＴＢ赤外線リモコン３００でテレビ操作用に割り当てられたキー（図５におけるテレビ受信機操作部３００ａ）に対してはセットトップボックス１００内部で赤外線コードを変換して、赤外線発行部１１０を介してテレビ受信機２００の赤外線受光部２０１に赤外線コマンドを発行する。
【００８８】
ＳＴＢ赤外線リモコン３００で館内映像サービス用に割り当てられたキー（図５における館内映像サービス用操作部３００ｃ）に対しては、セットトップボックス１００の内部制御用に利用する。
【００８９】
ＳＴＢ赤外線リモコン３００でテレビ受信機２００の操作と館内映像サービスの両方の用途に共用するキー（図５における共用操作部３００ｂ）に対しては、セットトップボックス１００の状態によってテレビ受信機２００に対してコマンドを発行するか、セットトップボックス１００の内部処理に利用するか自動的に判断する。
【００９０】
ところで、セットトップボックス１００はテレビ赤外線リモコン３０１の赤外線コマンドを受光してデータとして利用する機能を持つ。この処理は、赤外線受信処理部１０８で行われ、赤外線受光部１０７で赤外線信号から変換された電気信号パルスのパルス幅を検出し、０レベルおよび１レベルの時間情報と組み合わせてＣＰＵ１０１に通知する。ＣＰＵ１０１はこの情報をネットワーク通信部１０６を介して館内機器管理サーバー５００に通知する。
【００９１】
すでに館内機器管理サーバー５００にこの情報が登録されていればそのデータを館内機器管理サーバー５００から受信してセットトップボックス１００内部に保持し、もし登録されていなければ、赤外線受光部１０７および赤外線受信処理部１０８でテレビ赤外線リモコン３０１から各キーのデータを受け取って新たな赤外線コマンドデータを生成し、セットトップボックス１００自身のコマンド情報保持部１１１による保持と館内機器管理サーバー５００への新規登録を行う。
【００９２】
ここで図１４は新規にテレビ受信機２００を設置する場合のテレビ赤外線リモコン３０１のコード登録をする場合の手順を模式化したものである。
【００９３】
まず、図１４Ａ（ａ）は、モデル確認を開始するときのテレビ受信機２００の表示画面２０２に表示されたものを示したものであるが、このときテレビ受信機２００を客室に設置してセットトップボックス１００の映像出力がテレビ受信機２００の映像入力に接続が済み、テレビ受信機２００の電源投入が済み、セットトップボックス１００からの映像表示は出来ていることを想定している。
【００９４】
図１４Ａ（ａ）の画面には、たとえばＳＴＢ赤外線リモコン３００の押下するキーを通常使わない特殊な組み合わせによって遷移させる。図１４Ａ（ａ）の画面が表示されているときに、図１４Ａ（ｂ）で示すようにテレビ赤外線リモコン３０１の適当なキーを押してセットトップボックス１００の赤外線受光部１０７にコマンドを発行すると、セットトップボックス１００はコマンドデータを生成して館内機器管理サーバー５００に通知する。
【００９５】
リモコンコード情報保持部５０８に保持された情報に対象のモデルのデータがすでに存在する場合には、図１４Ｂ（ａ）で示すような確認画面を表示し、図１４Ｂ（ｂ）で示すようにＳＴＢ赤外線リモコン３００のキー操作によって確定させれば設置作業は完了する。
【００９６】
ここで、対象となるテレビ受信機２００のデータが存在しなかった場合には、新規登録処理を実行する。まず図１４Ｃ（ａ）で示すテレビ受信機２００のメーカーおよびモデル番号の登録画面が表示さる。このとき図１４Ｃ（ｂ）で示すようにＳＴＢ赤外線リモコン３００を使ってメーカー名の選択や直接入力、あるいはモデル名の直接入力を行う。
【００９７】
次に図１４Ｄ（ａ）で示すようにＳＴＢ赤外線リモコン３００の各キーを登録する画面が順次表示され、それに対応するテレビ赤外線リモコン３０１のキーを図１４Ｄ（ｂ）で示すように押すことで対応を取る。
【００９８】
このようにして対象キーを全て登録完了すると、図１４Ｅ（ａ）に示す画面が表示される。この後、本実施形態では、テレビ受信機２００を制御するコマンドが全て正しく登録されているか否かを図１４Ｅ（ｂ）で示すようにＳＴＢ赤外線リモコン３００で受け取って、登録処理を終了する。
【００９９】
次に図１５を用いてテレビ放送と映像表示サービスの切換について説明する。図１５は本発明の実施形態におけるセットトップボックス１００がデータ放送に切り替える場合の動作を説明するための模式図である。
【０１００】
図１５Ａ（ａ）は、テレビ放送の特定のチャンネルを視聴している場合の表示画面の例である。このときテレビ受信機２００は、図１５Ａ（ｂ）で示すように館内送信信号配線１０を経由して供給されるテレビ映像信号を受信して放送を再生している。
【０１０１】
ここで、図１５Ｂに示すようにＳＴＢ赤外線リモコン３００のデータキーを押すと、テレビ受信機２００がデータ放送に対応している場合には、セットトップボックス１００は、セットトップボックス１００からデータ放送への切換を行うコマンドをテレビ受信機２００に送信するが、テレビ受信機２００がデータ放送に対応していない場合、セットトップボックス１００は、データ放送処理サーバー９００にデータ転送要求を出してデータを受け取り、画面を生成した上でテレビ受信機２００に対して、映像入力信号をセットトップボックス１００側に切り替えるように制御する。
【０１０２】
この結果、図１５Ｃ（ａ）に示すデータ放送画面をＨＴＭＬで再構成して生成した画面がテレビ受信機２００に表示される。このとき映像データは図１５Ｃ（ｂ）で示すように館内ネットワーク２０経由でセットトップボックス１００側から提供される。
【０１０３】
次に、図１６乃至図２０を使って本発明の実施形態であるホテル向け放送・映像サービス提供システムの制御について説明する。
【０１０４】
まず、図１６を用いて、本発明の実施形態のセットトップボックス１００に新たなテレビ受信機２００を登録する場合の制御の流れを示す。図１６は本発明の実施形態におけるセットトップボックス１００がテレビ赤外線リモコン３０１のコードを登録する動作を説明するための図である。この制御は、たとえばＳＴＢ赤外線リモコン３００の押下するキーを通常使わない特殊な組み合わせによって起動する。
【０１０５】
本制御が起動されると、セットトップボックス１００のＣＰＵ１０１は音声映像処理部１０４から出力する映像画面を図１４Ａ（ａ）で示すような新規テレビ用リモコンコード登録画面に切り替えてテレビ赤外線リモコン３０１のキーの入力待ちをする（ステップＳ１０１）。
【０１０６】
次に、テレビ赤外線リモコン３０１のキー入力を検出すると赤外線受光部１０７、赤外線受信処理部１０８がコードデータ入力処理を実行し、データをＣＰＵ１０１に伝送する（ステップＳ１０２）。次に、ネットワーク通信部１０６はステップＳ１０２でＣＰＵ１０１が取り込んだコードデータを館内機器管理サーバー５００に送信する（ステップＳ１０３）。
【０１０７】
次に、ネットワーク通信部１０６はステップＳ１０３で送信したデータに対して館内機器管理サーバー５００から送られる確認結果を受け取る（ステップＳ１０４）。ステップＳ１０４で受け取った結果から、ＣＰＵ１０１はリモコンコードがすでに登録されているかどうか判断する（ステップＳ１０５）。
【０１０８】
ステップＳ１０５の判断結果から、リモコンコードがすでに登録されているものであれば、館内機器管理サーバー５００から受け取ったデータを元に、音声映像処理部１０４は該当するテレビ受信機２００のモデル番号をテレビ受信機２００の表示画面２０２に表示し、表示された情報に間違いないかＳＴＢ赤外線リモコン３００を使って確認するように促す（ステップＳ１０６）。
【０１０９】
そして、赤外線受光部１０７、赤外線受信処理部１０８はＳＴＢ赤外線リモコン３００による確認結果を取り込み、ＣＰＵ１０１はモデル番号が正しいか否か判断をする（ステップＳ１０７）。ステップＳ１０７でモデル番号が正しくなければ再度館内機器管理サーバー５００からデータをもらうためにステップＳ１０４に移行する。
【０１１０】
また、ステップＳ１０５の判断においてデータが登録されていない場合、新しくコードを登録する処理に移行する。まず、音声映像処理部１０４は、図１４Ｃ（ａ）で示すような画面を表示しＳＴＢ赤外線リモコン３００を使ったメーカー名とモデル番号の入力を促す（ステップＳ１０８）。
【０１１１】
次に赤外線受光部１０７、赤外線受信処理部１０８は、図１４Ｄ（ａ）で示すようにテレビ赤外線リモコン３０１のコードデータを対話式に入力する（ステップＳ１０９）。ステップＳ１０９では、ＳＴＢ赤外線リモコン３００の対応するキーと関連させるために、音声映像処理部１０４は画面上にＳＴＢ赤外線リモコン３００を絵で表示することで入力が確認できるようにできるようにする（ステップＳ１１０）。
【０１１２】
次に、全てのデータ入力が完了した段階で、ＣＰＵ１０１は制御が正常に実施できるか確認し、動作した場合には次のステップに移行し、正常に動作しなかった場合にはステップＳ１０９に戻って入力をやり直す（ステップＳ１１１）。
【０１１３】
ステップＳ１１１で正常動作が確認できれば、赤外線送信処理部１０９、赤外線発光部１１０は、取得した新たなコードデータをメーカー名、モデル番号を合わせて館内機器管理サーバー５００に送信する（ステップＳ１１２）。
【０１１４】
最後に、セットトップボックス１００のコマンド情報保持部１１１、テレビモデル情報保持部１１２は新たに取得したデータを記録して保持し（ステップＳ１１３）、処理を終了する。
【０１１５】
次に図１７を用いて館内機器管理サーバー５００の任意の客室に新しくテレビ受信機２００が設置されたときの制御を説明する。図１７は本発明の実施形態における館内機器管理サーバー５００のテレビ赤外線リモコン３０１のコード検索および登録する動作を説明するためのフロー図である。本制御は、セットトップボックス１００からのデータ確認要求を館内機器管理サーバー５００が受領することによって起動される。
【０１１６】
図１６の説明で述べたように、まず客室に新たにテレビ受信機２００を設置するときのテレビ受信機２００の登録作業によって、テレビ赤外線リモコン３０１からセットトップボックス１００が取得したリモコンコードを伴った確認要求が送信されるので、ネットワーク制御部５０４によりこの確認要求を受信する（ステップＳ２０１）。
【０１１７】
館内機器管理サーバー５００のＣＰＵ５０１は、情報記憶部５０６のリモコンコード情報保持部５０８に保持されたリモコンコード情報を検索して、リーダー部が登録済みのものと一致するか確かめる（ステップＳ２０２）。
【０１１８】
ステップＳ２０３で、リーダー部の一致が見られなかった場合には（ステップＳ２０３）、ネットワーク通信部５０５は対応するコードが無い旨を通知し（ステップＳ２０４）、リーダー部がみつかった場合には（ステップＳ２０３）、ＣＰＵ５０１はメーカーコードの確認を行う（ステップＳ２０５）。
【０１１９】
メーカーコードを確認してメーカーコードの一致が見られなかった場合には（ステップＳ２０６）、ネットワーク通信部５０５は対応するコードが無い旨を通知し（ステップＳ２０４）、メーカーコードが一致した場合には（ステップＳ２０６）、ＣＰＵ５０１はモデル番号の確認を行う（ステップＳ２０７）。
【０１２０】
モデル番号を確認してモデル番号の一致が見られなかった場合には（ステップＳ２０８）、ネットワーク通信部５０５は対応するコードが無い旨を通知し（ステップＳ２０４）、モデル番号が一致した場合には（ステップＳ２０８）、ＣＰＵ５０１はコードデータの確認を行う（ステップＳ２０９）。
【０１２１】
コードデータを確認してコードデータの一致が見られなかった場合には（ステップＳ２１０）、ネットワーク通信部５０５は対応するコードが無い旨を通知し（ステップＳ２０４）、コードデータが一致した場合には（ステップＳ２１０）、ＣＰＵ５０１はトレーラーの確認を行う（ステップＳ２１１）。
【０１２２】
トレーラー部を確認してトレーラ部が一致しなかった場合には（ステップＳ２１２）、ネットワーク通信部５０５は対応するコードが無い旨を通知し（ステップＳ２０４）、トレーラ部が一致した場合（ステップＳ２１２）、ＣＰＵ５０１は対象のモデル番号のコードデータを情報記憶部５０６から全て読み出し（ステップＳ２１３）、ネットワーク通信部５０５は読み出したデータを全てセットトップボックス１００に送信する（ステップＳ２１４）。
【０１２３】
尚、ステップＳ２１４、ステップＳ２０４が行われると、その後処理は終了する。
【０１２４】
以上のような制御により、館内機器管理サーバー５００は、情報記憶部５０６に保持された情報を参照しながら、セットトップボックス１００が検出したコードの確認を行いリモコンデータがすでに登録されているかどうか確認する。ここで、登録されていることが確認できれば対象となるモデルのデータを全てセットトップボックス１００に転送するので、セットトップボックス１００側で新たにデータ登録をする必要は無い。
【０１２５】
次に図１８を用いて、データ放送を変換する制御について説明する。図１８は本発明の実施形態におけるデータ放送処理サーバー９００がデータ放送をＨＴＭＬデータに変換する動作を説明するためのフロー図である。
【０１２６】
データ放送処理サーバー９００において、デジタル放送データ通信部９０５はデジタル放送受信装置８００からデータ放送のデータを受け取る（ステップＳ３０１）。次に、ＣＰＵ９０１は情報記憶部９０８のデータ放送データ保持領域９１３に保持されたデータ放送データを読み出す（ステップＳ３０２）。
【０１２７】
次に、ＣＰＵ９０１はステップＳ３０１およびステップＳ３０２で読み出されたデータの比較を行う（ステップＳ３０３）。ステップＳ３０３で、両者が同じだった場合、ＣＰＵ９０１はデータ更新が無かったものとみなし、ステップＳ３０１に戻り更新状況の確認を継続する。ステップＳ３０３で、両者が異なる場合、ＣＰＵ９０１はデータが更新されたものとみなし、取得したデータ放送のデータを新たなデータ放送データとして情報記憶部９０８のデータ放送データ格納領域９１３に格納する（ステップＳ３０４）。
【０１２８】
次に、ＣＰＵ９０１は、タグ変換テーブル９０９、色・スタイル変換テーブル９１０を参照してＨＴＭＬデータを生成する（ステップＳ３０５）。そしてＣＰＵ９０１は、ステップＳ３０５で生成されたＨＴＭＬデータをＨＴＭＬデータ保持領域９１１に保存する（ステップＳ３０６）。次に、ＣＰＵ９０１は、変換したＨＴＭＬデータの保管位置などの変更が発生するので参照テーブル９１２の内容を更新する（ステップＳ３０７）。
【０１２９】
ステップＳ３０７が完了するとデータ放送のデータ更新を監視するためにステップＳ３０１に戻る。以上のような制御により、情報記憶部９０８には関連するデータ放送をＨＴＭＬに変換されたデータが常に更新されて保持される。
【０１３０】
次に図１９を用いて、データ放送処理サーバー９００がセットトップボックス１００からのデータ放送表示要求を受け取って、対応するデータを転送する制御について説明する。図１９は本発明の実施形態におけるデータ放送処理サーバー９００がＨＴＭＬデータをセットトップボックス１００に送信する動作を説明するためのフロー図である。
【０１３１】
まず、データ放送処理サーバー９００のネットワーク通信部９０７は、セットトップボックス１００から、対象とするデジタル放送のチャンネル情報を受け取る（ステップＳ４０１）。ネットワーク通信部９０７はチャンネル情報を受け取ると、セットトップボックス１００との間でデータ伝送を行うためのネットワークリンクを確立する（ステップＳ４０２）。
【０１３２】
次に、ＣＰＵ９０１は、ステップＳ４０１で受け取ったチャンネル情報から、参照テーブル９１２を参照して、対象となるチャンネルのデータ放送データを検出する（ステップＳ４０３）。そしてネットワーク通信部９０７は対象となるＨＴＭＬデータをセットトップボックス１００に送出する（ステップＳ４０４）。
【０１３３】
次に、ネットワーク通信部９０７はセットトップボックス１００からの要求が来るのを待ち（ステップＳ４０５）、ＣＰＵ９０１はデータ要求が発生したか否かを判断する（ステップＳ４０６）。データ要求が発生した場合には、データ送信処理を行うためにステップＳ４０４へ処理が移行し、データ要求が来ない場合には、後続の処理へ進む。
【０１３４】
次に、ＣＰＵ９０１はタイムアウト時間の計測を行い(ステップＳ４０７)、タイムアウトであるか否かを判断する（ステップＳ４０８）。タイムアウトでない場合にはステップＳ４０６へ移行し、タイムアウトになった場合には、セットトップボックス１００との間のネットワークのリンクを開放し処理を終了する（ステップＳ４０９）。
【０１３５】
次に図２０を用いて、セットトップボックス１００がデータ放送の表示をする際の制御の流れについて説明する。図２０は本発明の実施形態におけるセットトップボックス１００がデータ放送の表示する動作を説明するためのフロー図である。
【０１３６】
本データ放送表示処理は、ＳＴＢ赤外線リモコン３００のデータキーが押下されて、赤外線受光部１０７、赤外線受信処理部１０８がデータ放送表示要求を受け取ることによって起動されるが、テレビ受信機２００がデータ放送に対応している場合には、データ放送の表示は全てテレビ受信機２００に任せるので、セットトップボックス１００で制御はしない。テレビ受信機２００がデータ放送に対応しているか否かは、セットトップボックス１００の内部の視聴情報保持部１１３に保持された視聴情報１１３aによってＣＰＵ１０１が判断する。
【０１３７】
テレビ受信機２００がデジタル放送に対応していない場合、データ放送処理サーバー９００と連携して、セットトップボックス１００によってデータ放送の表示を行う。まず、セットトップボックス１００の赤外線送信処理部１０９、赤外線発光部１１０はテレビ受信機２００に対して、テレビ受信機２００の入力信号をセットトップボックス１００の表示に切り替えるように赤外線コマンドを送出する（ステップＳ５０１）。
【０１３８】
次に、ネットワーク通信部１０６は、視聴情報保持部１１３に保持された現在の視聴チャンネルデータをデータ放送処理サーバー９００に館内ネットワーク２０を介して送信する。（ステップＳ５０２）次に、ネットワーク通信部１０６は、データ放送処理サーバー９００からの応答を受け取る（ステップＳ５０３）。
【０１３９】
ステップＳ５０３で受け取った応答で、ＣＰＵ１０１はデータ放送があるか否かを判断する（ステップＳ５０４）。対象のチャンネルに対応するデータ放送が無かった場合は、データ放送に対応していない旨を表示する（ステップＳ５１２）。ステップＳ５０４の確認でデータ放送がある場合、ネットワーク通信部１０６はデータ放送処理サーバー９００との間でリンクを確立する（ステップＳ５０５）。
【０１４０】
次に、ステップＳ５０５に続き、ネットワーク通信部１０６はデータ放送処理サーバー９００に対して、ＨＴＭＬデータのデータ送信要求を出す（ステップＳ５０６）。次に、ネットワーク通信部１０６はＨＴＭＬデータを放送処理サーバー９００から受け取って、映像音声処理部１０４は画面を表示する（ステップＳ５０７）。
【０１４１】
画面表示中には、赤外線受光部１０７、赤外線受信処理部１０８はＳＴＢ赤外線リモコン３００による操作を検出するように待機している（ステップＳ５０８）。ＳＴＢ赤外線リモコン３００の操作でＣＰＵ１０１によってデータ放送の表示の終了を示す指示を検出した場合（ステップＳ５０９）には、セットトップボックス１００との間のネットワークのリンクを解消する（ステップＳ５１１）。
【０１４２】
データ放送の終了が検出されなかった場合には（ステップＳ５０９）、ＣＰＵ１０１はＨＴＭＬデータの要求が発生したか否かを判断する（ステップＳ５１０）。ＨＴＭＬデータの要求が発生した場合、ステップＳ５０６に移行し、ＨＴＭＬデータの伝送を継続する。
【０１４３】
データ放送が終了した場合、つまりステップＳ５１１の処理が終了した場合、あるいは対象データが無かった場合、つまりステップＳ５１２の処理が終了した場合には、テレビ受信機２００に対して、赤外線送信処理部１０９、赤外線発光部１１０はデータ放送表示前の画面に切り替えるコマンドを発行し（ステップＳ５１３）、その後制御を終了する。
【０１４４】
以上のような制御により、データ放送に対応していないテレビ受信機２００であってもセットトップボックス１００経由でデータ放送サービスを受けることができる。
【０１４５】
このような本発明の実施形態における放送・映像サービス提供システム１によれば、複数のテレビ放送受信機２００との間で通信を行うセットトップボックス１００および複数のテレビ放送受信機２００の管理を行う館内機器管理サーバ５００が館内ネットワーク２０に接続された放送・映像サービス提供システム１であって、セットトップボックス１００は、複数のテレビ放送受信機２００のうちの１つを制御するテレビ赤外線リモコン３０１からテレビ用赤外線データを受信する赤外線受光部１０７と、テレビ用赤外線データのうち任意のテレビ用赤外線データを館内機器管理サーバ５００へ送信するネットワーク通信部１０６と、館内機器管理サーバ５００によって任意のテレビ用赤外線データが登録されていないと判断された場合、館内機器管理サーバ５００へテレビ用赤外線データを新規データとして送信するネットワーク通信部１０６とを有し、館内機器管理サーバ５００は、テレビ放送受信機２００に関する機器データを保持する情報記憶部５０６と、セットトップボックス１００から送信される任意のテレビ用赤外線データを受信するネットワーク通信部５０５と、情報記憶部５０６が保持する機器データに任意のテレビ用赤外線データが含まれているか否かを判断するＣＰＵ５０１と、ＣＰＵ５０１による判断結果をセットトップボックス１００へ送信するネットワーク通信部５０５と、セットトップボックス１００から新規データを受信して登録するネットワーク通信部５０５および情報記憶部５０６とを有する構成とすることで、多数のテレビ放送受信機２００を有する環境であっても、効率的に新規のコードを登録することができる。
【産業上の利用可能性】
【０１４６】
本発明は、機器の操作性の向上を図るとともにデータ放送などの新しいサービスにも旧式テレビで対応できるようにしたり、あるいは新しくテレビ設置する場合の作業効率を向上することが可能になるので、ホテル内の機器の維持費用やメンテナンス費用を抑制する放送・映像サービス提供システム等に有用である。
【図面の簡単な説明】
【０１４７】
【図１】本発明の実施形態における放送・映像サービス提供システムの構成図
【図２】本発明の実施形態におけるセットトップボックスの構成図
【図３】本発明の実施形態におけるセットトップボックスの内部データの構成図
【図４】本発明の実施形態におけるセットトップボックスが赤外線コマンドを生成する手順を示す模式図
【図５】本発明の実施形態におけるＳＴＢ赤外線リモコンの外観図
【図６】本発明の実施形態におけるテレビ受信機とテレビ赤外線リモコンの外観図
【図７】本発明の実施形態における館内機器管理サーバーの構成図
【図８】本発明の実施形態における館内機器管理サーバーの内部データの構成図
【図９】本発明の実施形態におけるデータ放送処理サーバーの構成図
【図１０】本発明の実施形態におけるデータ放送処理サーバーの内部データの構成図
【図１１】本発明の実施形態におけるデータ放送処理サーバーのデータ変換の関係を示した模式図
【図１２】本発明の実施形態におけるデータ放送処理サーバーの参照テーブルの構成を示した模式図
【図１３】本発明の実施形態におけるセットトップボックス、テレビ受信機、赤外線リモコンの操作経路を示した模式図
【図１４Ａ】本発明の実施形態におけるセットトップボックスによってテレビ赤外線リモコンのコードを取得、登録する動作を説明した模式図
【図１４Ｂ】本発明の実施形態におけるセットトップボックスによってテレビ赤外線リモコンのコードを取得、登録する動作を説明した模式図
【図１４Ｃ】本発明の実施形態におけるセットトップボックスによってテレビ赤外線リモコンのコードを取得、登録する動作を説明した模式図
【図１４Ｄ】本発明の実施形態におけるセットトップボックスによってテレビ赤外線リモコンのコードを取得、登録する動作を説明した模式図
【図１４Ｅ】本発明の実施形態におけるセットトップボックスによってテレビ赤外線リモコンのコードを取得、登録する動作を説明した模式図
【図１５Ａ】本発明の実施形態におけるセットトップボックスがデータ放送に切り替える場合の動作を説明した模式図
【図１５Ｂ】本発明の実施形態におけるセットトップボックスがデータ放送に切り替える場合の動作を説明した模式図
【図１５Ｃ】本発明の実施形態におけるセットトップボックスがデータ放送に切り替える場合の動作を説明した模式図
【図１６】本発明の実施形態におけるセットトップボックスがテレビ赤外線リモコンのコードを登録する動作を説明するためのフロー図
【図１７】本発明の実施形態における館内機器管理サーバーがテレビ赤外線リモコンのコードの検索および登録する動作を説明するためのフロー図
【図１８】本発明の実施形態におけるデータ放送処理サーバーがデータ放送をＨＴＭＬデータに変換する動作を説明するためのフロー図
【図１９】本発明の実施形態におけるデータ放送処理サーバーがＨＴＭＬデータをセットトップボックスに送信する動作を説明するためのフロー図
【図２０】本発明の実施形態におけるセットトップボックスがデータ放送処理サーバーからＨＴＭＬデータを受信してデータ放送を表示する動作を説明するためのフロー図
【符号の説明】
【０１４８】
１    放送・映像サービス提供システム
１０    館内放送信号配線
２０    館内ネットワーク
３０    アナログ放送アンテナ
４０    デジタル放送アンテナ
１００    セットトップボックス
１０１    ＣＰＵ
１０２    プログラムメモリー
１０３    作業メモリー
１０４    音声映像処理部
１０５    ネットワーク制御部
１０６    ネットワーク通信部
１０７    赤外線受光部
１０８    赤外線受信処理部
１０９    赤外線送信処理部
１０９ａ  赤外線コマンドデータ
１１０    赤外線発光部
１１０ａ  電気信号
１１０１  リーダー部
１１０２  データ部
１１０３  トレーラー部
１１１    コマンド情報保持部
１１１ａ  フォーマット情報
１１１ｂ  コマンド情報
１１２    テレビモデル情報保持部
１１２ａ  テレビモデル情報
１１３    視聴情報保持部
１１３ａ  視聴情報
２００    テレビ放送受信装置
２０１    赤外線受光部
２０２    映像表示部
３００    ＳＴＢ赤外線リモートコントローラー
３０１    テレビ赤外線リモートコントローラー
４００    映像コンテンツ配信サーバー
５００    館内機器管理サーバ
５０１    ＣＰＵ
５０２    プログラムメモリー
５０３    作業メモリー
５０４    ネットワーク制御部
５０５    ネットワーク通信部
５０６    情報記憶部
５０７    客室危機管理情報保持部
５０７ａ  客室機器管理情報  
５０８    リモコンコード情報保持部
５０８ａ  テレビメーカー情報
５０８ｂ  テレビモデル情報
５０８ｃ  リモコンフォーマット情報
５０８ｄ  リモコンコマンド情報
６００    館内放送再生装置
７００    アナログ放送受信装置
８００    デジタル放送受信装置
９００    データ放送処理サーバー
９０１    ＣＰＵ
９０２    プログラムメモリー
９０３    作業メモリー
９０４    データ通信制御部
９０５    デジタル放送データ通信部
９０６    ネットワーク制御部
９０７    ネットワーク通信部
９０８    情報記憶部
９０９    タグ変換テーブル
９１０    色・スタイル変換テーブル
９１１    ＨＴＭＬデータ保持領域
９１１ａ  ＨＴＭＬデータ
９１２    参照テーブル
９１３    データ放送データ保持領域
９１４    データ更新比較処理
９１５    ＨＴＭＬ変換処理
１０００    館内共聴配信装置
２０００    周辺機器コントロール装置
２０１１    ディスプレイ
２０１２    リモコン
２０１３    ユーザーインターフェース／ビデオ記録再生装置コントロール機構
２０１４    リモコンコマンドエミュレーター
２０１５    モデム
２０１６    データベースシステム
２０１７    ビデオ記録再生装置
【図１】
2008061191.tif 000003
【図２】
2008061191.tif 000004
【図３】
2008061191.tif 000005
【図４】
2008061191.tif 000006
【図５】
2008061191.tif 000007
【図６】
2008061191.tif 000008
【図７】
2008061191.tif 000009
【図８】
2008061191.tif 000010
【図９】
2008061191.tif 000011
【図１０】
2008061191.tif 000012
【図１１】
2008061191.tif 000013
【図１２】
2008061191.tif 000014
【図１３】
2008061191.tif 000015
【図１４Ａ】
2008061191.tif 000016
【図１４Ｂ】
2008061191.tif 000017
【図１４Ｃ】
2008061191.tif 000018
【図１４Ｄ】
2008061191.tif 000019
【図１４Ｅ】
2008061191.tif 000020
【図１５Ａ】
2008061191.tif 000021
【図１５Ｂ】
2008061191.tif 000022
【図１５Ｃ】
2008061191.tif 000023
【図１６】
2008061191.tif 000024
【図１７】
2008061191.tif 000025
【図１８】
2008061191.tif 000026
【図１９】
2008061191.tif 000027
【図２０】
2008061191.tif 000028